(57)【要約】【課題】  使用時に中栓が外れず、かつヘッドスペースの小さな液剤容器の提供。【解決手段】  ネジ筒部１４の上側に小径の首部１５を介して形成された注液筒部１６を有する容器本体１１と、天面２２と一体で、ネジ筒部１４に螺着される胴部２４を有し、胴部２４の内面には係止用の小隆起部２５が形成されたキャップ２１と、天板部１７と一体で、注液筒部１６に嵌着される胴部３３を有し、天板部１７の上面に突出形成された注液口３４と、天板部１７の下面から延出したスパイクピン３５を有する中栓３１を備え、この中栓３１は、胴部３３外面に環状の係止凸部３６が、胴部３３内面に首部１５に係合される環状の係合凸部３７が形成され、係止凸部３７がキャップ２１の小隆起部２５に係止されることで中栓３１がキャップ２１内部に緩やかに装着されるとともに、スパイクピン３５を注液筒部１６から離間してキャップ２１がネジ筒部１４に螺着されている。【選択図】    図１
2005329957.tif 000002
【特許請求の範囲】
【請求項１】
ネジ筒部と、このネジ筒部の上側に小径の首部を介して形成された注液筒部とを有する容器本体と、
天面と、この天面と一体で、前記ネジ筒部に螺着される胴部とからなり、前記胴部の内面には周方向に沿って係止用の小隆起部が形成されたキャップと、
天板部と、この天板部と一体で、前記注液筒部に嵌着される胴部と、前記天板部の上面に突出して、または面一に形成された注液口と、前記天板部の下面から前記注液筒部へ向けて延出され、前記注液筒部の天板部に突き刺したときに、容器本体に収容された液剤が通過して前記注液口へと連通するスパイクピンとを有する中栓を備えた液剤容器であって、
前記中栓は、胴部外面に環状の係止凸部が、胴部内面に前記容器本体の首部に係合される環状の係合凸部がそれぞれ形成され、前記係止凸部が前記キャップの小隆起部に係止されることで中栓がキャップ内部に緩やかに装着されるとともに、前記スパイクピンを前記注液筒部から離間して前記キャップが前記ネジ筒部に螺着されている液剤容器。
【請求項２】
前記キャップの天面の下面には、前記中栓の注液口の先端を塞ぐ閉塞部と、この閉塞部を包囲して前記中栓の注液口を嵌合保持する筒部とが設けられている請求項１に記載の液剤容器。
【請求項３】
容器本体が熱可塑性樹脂をブロー成形して得られたものである請求項１または２に記載の液剤容器。
【発明の詳細な説明】
【技術分野】
【０００１】
本発明は、液剤容器に関し、さらに詳しくは、成形と同時に液剤を密封状態で充填して得られる液剤容器に関する。
【背景技術】
【０００２】
従来から、例えば、成形と同時に液剤が充填・封入された、ネジ口部を有する容器本体と、天面の内面にスパイクピンが突出形成され、前記容器本体のネジ口部に螺合されるキャップとからなり、キャップを締め付けたときに、スパイクピンでネジ口部の天面を突き破って注液孔を形成する液剤容器が開示されている（特許文献１参照）。
【０００３】
しかしながら、前記液剤容器では、容器自体の部品点数が少なく製造コストを低くできる利点を有するものの、ネジ口部の天面をキャップのスパイクピンで突き破りながら注液孔を形成するため、キャップの締め付け度合を一定にしないと注液孔の形状や大きさが不均一となり、容器本体から押出しされる液滴量が徐々に変化する可能性がある。
【０００４】
そこで、容器本体と中栓とキャップを備え、キャップを容器本体のネジ口部に締め付けたときに、中栓に設けたスパイクピンでネジ口部の天面を突き破るとともに、キャップを外すと容器本体に収容された液剤がスパイクピンの内部を通過して液剤を押圧滴下することができる液剤容器が製造されている。
【０００５】
しかしながら、かかる液剤容器では、最初に１回だけ中栓を締め付けるだけで液剤を滴下できるため液滴量の一定化という点では利点を有するものの、中栓の胴部の外壁面と内壁面には、容器本体のネジ口部とキャップとをそれぞれ螺合するためのネジ構造が形成されているため、キャップを取り外すときに中栓も一緒に緩んだり、あるいは外れやすくなり、さらに液剤が収容されている容器本体の胴部に対して肩部から上のヘッドスペースが大きくなりすぎるという外観上の問題もあり、現状ではほとんど普及していない。
【特許文献１】特開平１１−２０８４４号公報
【発明の開示】
【発明が解決しようとする課題】
【０００６】
本発明は前記問題点に鑑みてなされたものであり、その目的は、使用時に中栓が外れず、かつヘッドスペースの小さな液剤容器を提供することにある。
【課題を解決するための手段】
【０００７】
上記目的を達成するため、請求項１の発明は、ネジ筒部と、このネジ筒部の上側に小径の首部を介して形成された注液筒部とを有する容器本体と、天面と、この天面と一体で、前記ネジ筒部に螺着される胴部とからなり、前記胴部の内面には周方向に沿って係止用の小隆起部が形成されたキャップと、天板部と、この天板部と一体で、前記注液筒部に嵌着される胴部と、前記天板部の上面に突出して、または面一に形成された注液口と、前記天板部の下面から前記注液筒部へ向けて延出され、前記注液筒部の天板部に突き刺したときに、容器本体に収容された液剤が通過して前記注液口へと連通するスパイクピンとを有する中栓を備えた液剤容器であって、前記中栓は、胴部外面に環状の係止凸部が、胴部内面に前記容器本体の首部に係合される環状の係合凸部がそれぞれ形成され、前記係止凸部が前記キャップの小隆起部に係止されることで中栓がキャップ内部に緩やかに装着されるとともに、前記スパイクピンを前記注液筒部から離間して前記キャップが前記ネジ筒部に螺着されていることを特徴とする。
【０００８】
請求項２の発明は、請求項１に記載の液剤容器において、前記キャップの天面の下面には、前記中栓の注液口の先端を塞ぐ閉塞部と、この閉塞部を包囲して前記中栓の注液口を嵌合保持する筒部とが設けられていることを特徴とする。請求項３の発明は、請求項１または２に記載の液剤容器において、容器本体が、熱可塑性樹脂をブロー成形して得られたものであることを特徴とする。
【発明の効果】
【０００９】
本発明の液剤容器によれば、キャップを容器本体のネジ筒部に螺合して締め付けると、中栓のスパイクピンが容器本体の注液筒部の天板部を貫通して開口が形成されるとともに、中栓が前記ネジ筒部に嵌着される。そして、キャップを緩めると中栓が前記ネジ筒部に嵌着されたまま容器本体からキャップのみを取り外すことができるので、使用時に中栓が外れることがない。また、液剤容器に使用する中栓は、胴部の外壁面と内壁面にそれぞれ係止凸部と係合凸部を設けたシンプルな構造ので、液剤容器のヘッドスペースを小さくすることができる。
【発明を実施するための最良の形態】
【００１０】
次に、添付図面を参照しながら本発明を詳細に説明する。図１は本発明の一例を示す液剤容器の流通・販売時の状態を示す断面説明図、図２は図１のキャップを締め付けた状態を示す断面説明図、図３は図２のキャップを取り外したときの容器本体と中栓を示す正面図である。図１に示される液剤容器は、容器本体１１、キャップ２１及び中栓３１を備え、中栓３１を装着したキャップ２１が容器本体１１に螺着されている。容器本体１１は、例えば、ポリエチレン等の軟質で可撓性の大きい熱可塑性樹脂をブロー成形して得られるものであり、容器本体１１の内部には、例えば、薬液（点眼薬、点鼻薬、点耳薬等）、化粧用乳液等の液剤が成形と同時に充填されている。容器本体１１は、液剤を５ｍＬ程度収容可能な中空円筒状の胴部１２と、胴部１２の肩部から上側に連続する雄ネジ１３を備えたネジ筒部１４と、これの上側に連続する小径の首部１５を介して注液筒部１６が形成されている。
【００１１】
キャップ２１は、例えば、容器本体１１よりも硬いポリプロピレン等の熱可塑性樹脂を成形して得られるものであり、天面２２と、この天面２２と一体で、ネジ筒部１４に螺着される雌ネジ２３を備えた略円筒状の胴部２４とからなり、ネジ筒部１４に途中まで螺着されている。胴部２４内面には前記雌ネジ２３の上側に小隆起部２５が周方向に沿って等間隔に４つ形成されている。小隆起部２５は、図１に示すように、流通・販売時において中栓３１が落下しないように係止するために設けられる部材である。中栓３１の係止を緩やかにするためには、胴部２４内面から０．２ｍｍ程度緩やかに隆起した平面視略楕円状の小隆起部とし、胴部２４内面の周方向に沿って３〜４個程度設けることが好ましい（図４参照）。
【００１２】
中栓３１は、例えば、容器本体１１よりも硬いポリプロピレン、ポリスチレン等の熱可塑性樹脂を成形して得られるものであり、天板部３２と、この天板部３２と一体で略円筒状の胴部３３と、天板部３２の上面に突出して形成された注液口３４と、天板部３２の下面から注液筒部１６へ向けて延出されたスパイクピン３５とからなる。胴部３３の外面上端部には、外方へ向けて環状の係止凸部３６が形成され、この係止凸部３６がキャップ２１の小隆起部２５に係止されることで、スパイクピン３５が注液筒部１６から離間するように中栓３１がキャップ２１内部に緩やかに装着されている。より詳細には、この係止凸部３６は胴部３３外面から０．１〜０．２ｍｍ程度外方に突出した環状体とされている。また、胴部３３の内面下端部には、周方向に沿って環状の係合凸部３７が形成されており、キャップ２１を最後まで締め付けたときに容器本体１１の首部１５全体に係合し、これにより中栓３１が注液筒部１６に嵌着するように構成されている（図２参照）。より詳細には、この係合凸部３７は胴部３３内面から０．５ｍｍ程度内方に突出した環状体とされている。
【００１３】
スパイクピン３５は、円筒筒部３５ａと、この円筒筒部３５ａの下端に形成された逆円錐状の突き刺し部３５ｂとを備え、前記注液口３４の上端から円筒筒部３５ａの下端にかけて上下方向の開口部３８が形成されるとともに、円筒筒部３５ａの下端には開口部３８と外部とを連通させる通液窓３５ｃが周方向に沿って３つ形成されている（図５参照）。
【００１４】
本発明において液剤容器は、図１の形態で流通・販売してもよいし、さらに、液剤容器全体をシュリンクフィルム等で包装してキャップ２１が必要以上に緩んだり、あるいは締め付けられたりすることを防止してもよい。液剤容器を使用するときには、まずキャップ２１を最後まで締め付ける。このとき、中栓３１のスパイクピン３５により注液筒部１６の天板部１７が開口されるとともに、中栓３１の係合凸部３７が首部１５全体に係合し、これにより中栓３１が注液筒部１６に嵌着される（図２参照）。このとき、図１に示すように、キャップ２１の天面２２の下面に、中栓３１の注液口３４の先端を塞ぐ閉塞部２６と、この閉塞部２６を包囲して注液口３４を嵌合保持する筒部２７を設ければ、注液筒部１６に対してスパイクピン３５を鉛直方向に維持することができるので、注液筒部１６の天板部１７のうち所定部分を確実に開口させることができる。また、円筒筒部３５ａの上端に該円筒筒部３５ａより拡径の段付き部３９を設ければ、開口された縁部を液密にすることができる。
【００１５】
続いて、キャップ２１を緩める方向に回すと、中栓３１が注液筒部１６に嵌着されたまま、係止凸部３６の係止状態が解除されてキャップ２１のみを取り外すことができる（図３参照）。これにより、使用に際して中栓３１が外れるという不都合は生じない。また、液剤容器に使用する中栓３１は、胴部３３の外壁面と内壁面にそれぞれ係止凸部３６と係合凸部３７を設けたシンプルな構造なので、これによりヘッドスペースを小さくすることができる。さらに、図１の液剤容器によれば、スパイクピン３５で最初の１回だけ開口を形成すればすむので、何回使用した場合でも注液口３４から常に一定量の液剤を押圧供給することができる。
【００１６】
なお、本発明は図示の実施形態に限定されるものではなく、その要旨を逸脱しない範囲で各部材の形状、大きさ、位置等は適宜変更することが可能である。例えば、図１〜３及び図５において中栓３１の係止凸部３６は胴部３３の上端部に設けられているが、必ずしも上端部だけに限られず、胴部３３の中央部から下側に設けてもよい。また、係止凸部３６の形状についても図示の実施形態に限定されず、縁部に向けて幅が狭くなるテーパ状としてもよい。さらに、注液口３４は天板部３２の上面に突出して形成されているが、注液口３４の形状についても図示の実施形態に限定されず、天板部３４の上面に面一に（すなわち、天板部３４の上面と同じ高さに）形成してもよい。
【図面の簡単な説明】
【００１７】
【図１】本発明の一例を示す液剤容器の流通・販売時の状態を示す断面説明図である。
【図２】図１のキャップを締め付けた状態を示す断面説明図である。
【図３】図２のキャップを取り外したときの容器本体と中栓を示す正面図である。
【図４】図１のキャップを拡大した状態を示す断面説明図である。
【図５】図１の中栓の内部構造を示す一部断面説明図である。
【符号の説明】
【００１８】
１１  容器本体
１２  胴部
１３  雄ネジ
１４  ネジ筒部
１５  首部
１６  注液筒部
１７  天板部
２１  キャップ
２２  天面
２３  雌ネジ
２４  胴部
２５  小隆起部
２６  閉塞部
２７  筒部
３１  中栓
３２  天板部
３３  胴部
３４  注液口
３５  スパイクピン
３６  係止凸部
３７  係合凸部
３８  開口部
３９  段付き部
【図１】
2005329957.tif 000003
【図２】
2005329957.tif 000004
【図３】
2005329957.tif 000005
【図４】
2005329957.tif 000006
【図５】
2005329957.tif 000007